(57)【要約】【課題】成形工数を低減させるとともに、異なる材料の境界部分を滑らかに接続させる。【解決手段】二色成形品（１１）の製造方法は、材料（ｍ１，ｍ２）の境界を仕切るための仕切り板（３）を挟んで、材料（ｍ１，ｍ２）のそれぞれを仕切り板（３）が存在する方向に射出する射出工程と、材料（ｍ１，ｍ２）のそれぞれを射出した後、材料（ｍ１，ｍ２）のそれぞれに発泡または加硫が起きている期間のいずれかの時点に、仕切り板（３）を上記境界から抜いて上記境界を開放する仕切り板抜去工程と、を含む。【選択図】図１
2018140537.tif 000002
【特許請求の範囲】
【請求項１】
複数の異なる材料同士を組み合わせて一体に成形した多色成形品の製造方法であって、
上記複数の異なる材料の境界を仕切るための仕切り板を挟んで、上記複数の異なる材料のそれぞれを上記仕切り板が存在する方向に射出する射出工程と、
上記複数の異なる材料のそれぞれを射出した後、上記複数の異なる材料のそれぞれに発泡または加硫が起きている期間のいずれかの時点に、上記仕切り板を上記境界から抜いて上記境界を開放する仕切り板抜去工程と、を含むことを特徴とする製造方法。
【請求項２】
上記複数の異なる材料が二種類の異なる材料であることを特徴とする請求項１に記載の製造方法。
【請求項３】
上記仕切り板における上記境界の延伸方向に沿って延伸する２つの側面のそれぞれのテーパ角度が、０度を超え、かつ１度以下であることを特徴とする請求項１または２に記載の製造方法。
【請求項４】
上記仕切り板を下降させたときに、上記仕切り板における上記境界の延伸方向に沿って延伸する２つの側面の一方と、上記複数の異なる材料のうち上記側面の一方に近接する材料と、の間にできる上記射出の方向に沿う隙間の幅が、０ｍｍを超え、かつ０．０５ｍｍ以下となることを特徴とする請求項１から３までの何れか１項に記載の製造方法。
【発明の詳細な説明】
【技術分野】
【０００１】
本発明は、複数の異なる材料同士を組み合わせて一体に成形した多色成形品の製造方法に関する。
【背景技術】
【０００２】
多色成形品とは、一般的に複数種類または複数色の樹脂材料を、同時にまたは順次射出成形することにより得られる成形品である。ただし、ここでは、同種類または同色の材料でも、複数の射出ユニットにより同時にまたは順次射出成形することで得られる成形品ならば多色成形品と定義する。また、以上の定義より、多色成形とは、複数の射出ユニットを用いて、材料を同時にまたは順次射出成形する成形方法であるとする。
【０００３】
さて、多色成形品の製造方法として、（１）多色成形機による製造方法、（２）複数の射出成形機間の成形品移動による製造方法が知られている。上記（１）の方法には、複数の射出ユニットを持つ射出成形機を用いて、一つの金型に複数種類の材料を同時に射出する方法と、複数の射出ユニットと金型を回転させる機構とを備えた射出成形機を用いて、金型を切り替えながら複数種類の材料を順次射出成形していく方法とがある。上記（２）の方法は、第一の射出成形機で射出成形した一次成形品を、次の順番の射出成形機の金型の所定の位置にセットして、該射出成形機で射出成形し、得られた成形品を更に次の順番の射出成形機の金型にセットして射出成形を行うという工程を繰り返すことで、多色成形を行う方法である。
【０００４】
特許文献１には、樹脂芯材の表面の一部を表皮材により被覆一体化した二色成形体を精度良く成形できる積層成形体の成形方法が開示されている。この成形方法においては、モールドプレス成形用下型には、各ゲートから供給される半溶融樹脂を区画する仕切りプレートが設置されている。
【０００５】
また、特許文献２には、二色成形品であるエアバック用自動車内装品の製造方法が開示されている。この製造方法では、一方の注入用プランジャの注入孔から硬質熱可塑性樹脂材を成形樹脂注入ゲートに供給するとともに、他方の注入用プランジャの注入孔から樹脂注入ゲート内に軟質熱可塑性樹脂材を供給している。
【先行技術文献】
【特許文献】
【０００６】
【特許文献１】特開平８−２６７４７９号公報（１９９６年１０月１５日公開）
【特許文献２】特開２００１−９７１６３号公報（２００１年４月１０日公開）
【発明の概要】
【発明が解決しようとする課題】
【０００７】
しかしながら、上記特許文献１に記載の成形方法では、仕切りプレートを用いることで異なる材料の境界部分が滑らかに接続する構造になるものの、異なる材料を二回の工程に分けて射出成形しているため、成形工数が増加してしまうという問題点がある。
【０００８】
一方、上記特許文献２に記載の製造方法では、異なる材料を１回の工程で射出成形しているため、成形工数を低減できるものの、上記特許文献１に記載の成形方法のように、異なる材料の境界部分を滑らかに接続させる観点については配慮されていないという問題点がある。
【０００９】
本発明は以上の問題点に鑑みて為されたものであり、その目的は、成形工数を低減させるとともに、異なる材料の境界部分を滑らかに接続させることができる多色成形品の製造方法を提供することにある。
【課題を解決するための手段】
【００１０】
上記の課題を解決するために、本発明の一態様に係る多色成形品の製造方法は、複数の異なる材料同士を組み合わせて一体に成形した多色成形品の製造方法であって、上記複数の異なる材料の境界を仕切るための仕切り板を挟んで、上記複数の異なる材料のそれぞれを上記仕切り板が存在する方向に射出する射出工程と、上記複数の異なる材料のそれぞれを射出した後、上記複数の異なる材料のそれぞれに発泡または加硫が起きている期間のいずれかの時点に、上記仕切り板を上記境界から抜いて上記境界を開放する仕切り板抜去工程と、を含むことを特徴としている。
【００１１】
上記方法によれば、射出工程で、複数の異なる材料の境界を仕切るための仕切り板を挟んで、複数の異なる材料のそれぞれを仕切り板が存在する方向に射出する。このため、一回の工程で、複数の異なる材料のそれぞれを射出することができる。これにより、複数の異なる材料のそれぞれを複数回の工程に分けて射出成形する方法と比較して成形工数を低減させることができる。また、上記方法によれば、仕切り板抜去工程で、複数の異なる材料のそれぞれを射出した後、複数の異なる材料のそれぞれに発泡または加硫が起きている期間のいずれかの時点に、仕切り板を境界から抜いて境界を開放する。このため、複数の異なる材料を同時並列的に成形し、複数の異なる材料の境界部分を馴染ませることにより、異なる材料の境界部分を滑らかに接続させることができる。以上により、上記の方法によれば、成形工数を低減させるとともに、異なる材料の境界部分を滑らかに接続させることができる。
【００１２】
本発明の一態様に係る多色成形品の製造方法は、上記複数の異なる材料が二種類の異なる材料であっても良い。上記方法によれば、異なる材料の境界部分が滑らかに接続した二色成形品を製造することができる。
【００１３】
本発明の一態様に係る多色成形品の製造方法は、上記仕切り板における上記境界の延伸方向に沿って延伸する２つの側面のそれぞれのテーパ角度が、０度を超え、かつ１度以下であることが好ましい。上記方法によれば、仕切り板をスムーズに動かすことができる。
【００１４】
本発明の一態様に係る多色成形品の製造方法は、上記仕切り板を下降させたときに、上記仕切り板における上記境界の延伸方向に沿って延伸する２つの側面の一方と、上記複数の異なる材料のうち上記側面の一方に近接する材料と、の間にできる上記射出の方向に沿う隙間の幅が、０ｍｍを超え、かつ０．０５ｍｍ以下となることが好ましい。上記方法によれば、隙間に材料が入って根詰まりすることを回避することで連続射出を可能にすることができる。
【発明の効果】
【００１５】
本発明の一態様に係る多色成形品の製造方法によれば、成形工数を低減させるとともに、異なる材料の境界部分を滑らかに接続させることができるという効果を奏する。
【図面の簡単な説明】
【００１６】
【図１】本発明の一実施形態に係る成形機の構造を示す斜視図である。
【図２】上記成形機の縦断面の構造を示す縦断面図である。
【図３】（ａ）は、複数の材料を仕切り板の存在する方向に射出したときの二色成形品の状態を示す斜視図であり、（ｂ）は、上記二色成形品の断面図であり、（ｃ）は、仕切り板を下降させたときの二色成形品の状態を示す斜視図であり、（ｄ）は、仕切り板の側面のテーパ角度について説明するための図であり、（ｅ）は、仕切り板の側面と、その側面に近接する材料との間にできる隙間の幅について説明するための図である。
【図４】（ａ）は、本発明の一実施形態に係る二色成形品の構造の一例を示す図であり、（ｂ）は、上記二色成形品の断面の構造を示す断面図である。
【発明を実施するための形態】
【００１７】
本発明の実施の形態について図１〜図４に基づいて説明すれば、次の通りである。以下、説明の便宜上、ある項目にて説明した構成と同一の機能を有する構成については、他の項目においても同一の符号を付記し、その説明を省略する場合がある。
【００１８】
〔成形機の構造〕
図１は、本発明の一実施形態に係る成形機１００の構造を示す斜視図である。また、図２は、成形機１００の縦断面の構造を示す縦断面図である。これらの図に示すように成形機１００は、上側金型１、下側金型２、仕切り板３、ポット４、プランジャ５、油圧シリンダ６、ノズル７、およびノズル８を備える。
【００１９】
上側金型１の下面には、成形機１００にて製造される二色成形品（多色成形品）１１の略上半分を形成するための型が彫り込まれている。また、下側金型２の上面には、二色成形品１１の略下半分を形成するための型が彫り込まれている。
【００２０】
上側金型１の下面と、下側金型２の上面とを接合させ、後述するノズル７から材料ｍ１を金型内で射出するとともにノズル８から材料ｍ２を金型内で射出することにより、材料ｍ１および材料ｍ２の境界が仕切り板３で仕切られた状態の成形途中の二色成形品１１が形成される。二色成形品１１は、複数の異なる材料である材料ｍ１および材料ｍ２同士を組み合わせて一体に成形される成形品である。上側金型１の上方には、注入口１０が形成されており、この注入口１０を通して材料ｍ１が注入される。
【００２１】
材料ｍ１と材料ｍ２との組合せの例としては、ソリッド状の成形材料とスポンジ状の成形材料との組合せ、および、硬質性の成形材料と軟質性の成形材料（例えば、オレフィン系のエラストマー）との組合せなどを例示することができる。
【００２２】
本実施形態では、複数の異なる材料が二種類の異なる材料ｍ１および材料ｍ２である二色成形品１１の成形方法について説明するが、本発明を適用可能な方法はこれに限定されず、例えば、３つ以上の異なる材料を組合せて一体に成形される多色成形品の成形方法にも本発明を適用することができる。
【００２３】
上側金型１と下側金型２との接合部の手前側には、開口部ｈが形成されており、この開口部ｈを通して二色成形品１１が取り出されるようになっている。また、下側金型２の手前側の側面における開口部ｈの下部に形成された孔からは、仕切り板３を下降させるための取っ手３ａが突出している。
【００２４】
仕切り板３は、複数の異なる材料ｍ１および材料ｍ２の境界を仕切るための板状部材である。ポット４は、中心軸上の点を中心とする円形状の孔が中心軸に沿って延伸して形成された略円筒形状の部材であり、ポット４の一端は、ノズル８に接続されており、ノズル８の一端は、ポット４の孔に連結している。ポット４の孔に材料ｍ２を入れてプランジャ５で押し込むことにより、ノズル８の射出部から材料ｍ２が射出するようになっている。プランジャ５は、油圧シリンダ６の押圧によりポット４の孔に押し込まれるようになっている。一方、ノズル７の射出部からは、材料ｍ１が射出される。
【００２５】
〔二色成形品の製造方法〕
上述した成形機１００を用いた本実施形態の二色成形品１１の製造方法は、少なくとも以下の（１）および（２）に示す工程を含む。
（１）材料ｍ１および材料ｍ２の境界を仕切るための仕切り板３を挟んで、材料ｍ１および材料ｍ２のそれぞれを仕切り板３が存在する方向に射出する射出工程。
（２）材料ｍ１および材料ｍ２のそれぞれを射出した後、材料ｍ１および材料ｍ２のそれぞれに発泡または加硫が起きている期間のいずれかの時点（例えば、射出開始から３０秒後）に、仕切り板３を上記境界から抜いて上記境界を開放する（より具体的には、仕切り板３を下降させる）仕切り板抜去工程。
【００２６】
上述した成形機１００においてノズル７およびノズル８の２つのノズルを金型内に内蔵させることで、上記（１）の射出工程により、一回の工程で、材料ｍ１および材料ｍ２のそれぞれを射出することができる。これにより、材料ｍ１および材料ｍ２のそれぞれを二回の工程に分けて射出成形する方法と比較して成形工数を低減させることができる。
【００２７】
また、上記（２）の仕切り板抜去工程により、材料ｍ１および材料ｍ２を同時並列的に成形し、材料ｍ１および材料ｍ２の境界部分を馴染ませることにより、材料ｍ１および材料ｍ２の境界部分が滑らかに接続する二色成形品１１を製造することができる。以上により、上記の方法によれば、一回の工程で材料ｍ１および材料ｍ２の同時成形を実現することで成形工数を低減させるとともに、材料ｍ１および材料ｍ２の境界部分を隙間無く滑らかに接続させることができる。
【００２８】
また、上記方法によれば、使用する成形機１００が一台で済み、通常の成形時間である１８０秒内で材料ｍ１および材料ｍ２の同時成型が可能になる。これにより、材料ｍ１および材料ｍ２のそれぞれを二回の工程に分けて射出成形する方法と比較して総成形時間を半減させることができる。また、従来の二回の工程に分けて射出成形する方法では、２台の成形機または専用機が必要となり、追加の設備投資が必要であるという問題点があるが、上記方法によれば、このような問題点は生じない。
【００２９】
〔成形途中の二色成形品の状態について〕
次に、図３に基づき、成形途中の二色成形品１１の状態について説明する。図３の（ａ）は、材料ｍ１および材料ｍ２のそれぞれを仕切り板３の存在する方向に射出したときの二色成形品１１の状態を示す斜視図である。また、図３の（ｂ）は、図３の（ａ）に示す状態の二色成形品１１の断面図である。
【００３０】
図３の（ｂ）は、材料ｍ１および材料ｍ２の境界を仕切るための仕切り板３を挟んで、材料ｍ１および材料ｍ２のそれぞれを仕切り板３が存在する方向に射出したときの二色成形品１１の状態を示している。
【００３１】
図３の（ｃ）は、仕切り板３を下降させたときの二色成形品１１の状態を示す斜視図である。図３の（ｃ）は、上述した射出工程で、材料ｍ１および材料ｍ２のそれぞれを射出した後、材料ｍ１および材料ｍ２のそれぞれに発泡または加硫が起きている期間のいずれかの時点に、仕切り板３を下降させたときの状態を示している。
【００３２】
次に、図３の（ｄ）に基づき、仕切り板３の側面のテーパ角度について説明する。同図に示すように、仕切り板３における境界ＢＤの延伸方向に沿って延伸する２つの側面ＳＵＦ１および側面ＳＵＦ２のそれぞれのテーパ角度θは、０度を超え、かつ１度以下であることが好ましい。この条件を満たせば、仕切り板３を下降させる際に、スムーズに動かすことができる。
【００３３】
次に、図３の（ｅ）に基づき、仕切り板３の側面と、その側面に近接する材料との間にできる隙間の幅について説明する。同図に示すように、仕切り板３を下降させたときに、仕切り板３における境界ＢＤの延伸方向に沿って延伸する側面ＳＵＦ１と、側面ＳＵＦ１に近接する材料ｍ２と、の間にできる射出方向に沿う隙間の幅ｄは、０ｍｍを超え、かつ０．０５ｍｍ以下となることが好ましい。また、同様に、仕切り板３を下降させたときに、仕切り板３における境界ＢＤの延伸方向に沿って延伸する側面ＳＵＦ２と、側面ＳＵＦ２に近接する材料ｍ１と、の間にできる射出方向に沿う隙間の幅ｄは、０ｍｍを超え、かつ０．０５ｍｍ以下となることが好ましい。以上の条件を満たせば、隙間に材料が入って根詰まりすることを回避することで連続射出を可能にすることができる。
【００３４】
〔二色成形品の構造について〕
次に、図４に基づき、上述した方法にて製造した二色成形品１１の構造について説明する。図４の（ａ）は、上述した方法にて製造した二色成形品１１の構造の一例を示す図である。一方、図４の（ｂ）は、図４の（ａ）に示す二色成形品１１を上下方向に切断したときの断面図である。
【００３５】
図４の（ａ）に示すように、二色成形品１１の材料ｍ１と材料ｍ２との境界部分である接合部Ｊ１は、仕切り板３の開放によって形成された部分であり、境界部分が隙間無く滑らかに接続する構造となる。また、上述した方法にて製造した二色成形品１１では、図４の（ｂ）に示すように、その断面においても、材料ｍ１と材料ｍ２との境界面（接合部Ｊ１）の位置が明確に特定できる構造となる。
【００３６】
なお、接合部Ｊ２および接合部Ｊ３のそれぞれは、図１に示す上側金型１および下側金型２の手前側および裏側の側面における内壁で仕切られることによって必然的にできる境界部分であり、上述した仕切り板３の開放によって形成される境界部分とは異なる。
【００３７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００３８】
３  仕切り板    ３ａ    １１  二色成形品（多色成形品）
ＢＤ  境界    θ  テーパ角度    ｄ  幅    ｍ１  材料    ｍ２  材料
ＳＵＦ１  側面    ＳＵＦ２  側面
【図１】
2018140537.tif 000003
【図２】
2018140537.tif 000004
【図３】
2018140537.tif 000005
【図４】
2018140537.tif 000006